(57)【特許請求の範囲】
【請求項１】
容器状をなし内部に水道水を浄水化する浄化カートリッジを収容する吐水端部部材を本体に対し外嵌状態でねじ結合し取付固定してなる浄水吐水器具において、
前記吐水端部部材を透明材にて構成するとともに、該吐水端部部材の外面であって前記本体へのねじ結合部分を全面に亘って凹凸面として形成したことを特徴とする浄水吐水器具。
【請求項２】
請求項１に記載の浄水吐水器具において、前記本体がシャワーヘッドの本体であり、前記吐水端部部材が複数のシャワー吐水孔を有する散水部材であることを特徴とする浄水吐水器具。
【発明の詳細な説明】
【０００１】
【発明の属する技術分野】
この発明は水道水中の殺菌剤を除去し浄水化して吐水する浄水吐水器具に関する。
【０００２】
【従来の技術】
図５は浄水吐水器具としてのシャワーヘッド、詳しくは殺菌剤を含有した水道水である原水のシャワー吐水と、殺菌剤を除いた浄水のシャワー吐水とを切替可能なシャワーヘッドを示している。
同図において２００はシャワーヘッドの本体で、その内部に殺菌剤を含有した水道水である原水を先端側に導く通水路２０２を備えている。
【０００３】
２０４は吐水端部部材（散水部材）であって底付きの円筒形状をなしており、その内部の中心部と外周部とに通水路２０２Ａと２０２Ｂとが区画形成されているとともに、その底部には通水路２０２Ａに連通する複数の原水のシャワー吐水孔２０８Ａと、通水路２０２Ｂに連通する複数の浄水のシャワー吐水孔２０８Ｂとが形成されている。
この吐水端部部材２０４の内部且つ通水路２０２Ｂ上には浄化室が形成されていて、そこに水道水中の殺菌剤（塩素）を除去する浄化カートリッジ２１０が収容されている。
【０００４】
この吐水端部部材２０４は上端部に外嵌合部２１４を有している。
一方本体２００は内嵌合部２１２を有しており、それら外嵌合部２１４と内嵌合部２１２とが、外嵌合部２０４の内周面の雌ねじ部と、内嵌合部２１２の外周面の雄ねじ部とによってねじ嵌合されている。
即ち、吐水端部部材２０４が本体２００に対し外嵌状態でねじ結合され、本体２００に取付固定されている。
【０００５】
この例のシャワーヘッドの場合、通水路２０２と２０２Ａとを連通させるための開口２１８と、通水路２０２Ｂと通水路２０２とを連通させるための開口２２０が内部に設けられていて、それらの開口２１８，２２０が弁体２１６の移動によって択一的に開放又は閉鎖されるようになっている。
【０００６】
而して開口２２０が閉鎖され、開口２１８が開放された状態の下では、本体２００側の通水路２０２を通じて送られて来た水道水（原水）が吐水端部部材２０４の通水路２０２Ａを通じて下端のシャワー吐水孔２０８Ａからシャワー吐水される。
【０００７】
また一方、弁体２１６の切替動作により開口２１８を閉鎖し、開口２２０を開放した状態の下では、通水路２０２からの水道水が吐水端部部材２０４の通水路２０２Ｂ側に流れ込み、そこで水道水中の殺菌剤が除去されて、即ち浄水とされた上でシャワー吐水孔２０８Ｂからシャワー吐水される。
【０００８】
【発明が解決しようとする課題】
この種シャワーヘッド、即ち原水のシャワー吐水と併せて浄水のシャワー吐水が可能なシャワーヘッドの場合、定期的に浄化カートリッジ２１０を交換する必要があり、その交換時期を知らせるための手段として浄化カートリッジ２１０の外面に交換時期を示すシールを貼り付けるとともに吐水端部部材２０４を透明材で構成し、外部から浄化カートリッジ２１０の汚れ具合やシールを外部から視認できるようにすることが考えられている。
【０００９】
ところが吐水端部部材２０４全体を透明材で構成すると、本体２００とのねじ結合部、即ちねじ合せ部分及びシール用のＯリング２２２が外部に透けて見えてしまい、見栄えを悪くしてしまう。
【００１０】
またカートリッジ２１０を取り替える際には吐水端部部材２０４を本体２００から外す必要が生ずるが、このとき濡れた手で吐水端部部材２０４を回転操作してねじを外すとき、手が滑って吐水端部部材２０４の脱着が行い辛いといった問題も生ずる。
【００１１】
以上シャワーヘッドを例として説明したが、浄化カートリッジにて水道水を浄化したうえ吐水する浄水器やアルカリイオン整水器等他の形態の吐水器具においても同様の問題が生じ得る。
【００１２】
【課題を解決するための手段】
本発明の浄水吐水器具はこのような課題を解決するために案出されたものである。
而して請求項１のものは、容器状をなし内部に水道水を浄水化する浄化カートリッジを収容する吐水端部部材を本体に対し外嵌状態でねじ結合し取付固定してなる浄水吐水器具において、前記吐水端部部材を透明材にて構成するとともに、該吐水端部部材の外面であって前記本体へのねじ結合部分を全面に亘って凹凸面として形成したことを特徴とする。
【００１３】
請求項２のものは、請求項１に記載の浄水吐水器具において、前記本体がシャワーヘッドの本体であり、前記吐水端部部材が複数のシャワー吐水孔を有する散水部材であることを特徴とする。
【００１４】
【作用及び発明の効果】
上記のように本発明の浄水吐水器具においては、吐水端部部材を透明材にて構成するとともにその外面の一部、具体的には本体へのねじ結合部分を全面に亘って凹凸面として形成しており、従って本発明の浄水吐水器具においては、透明な吐水端部部材を通して内部の浄化カートリッジの状態或いは浄化カートリッジに貼着した交換時期を示すシール等を外部から確認することができる。
従って交換時期が来たときに速やかに浄化カートリッジを交換することができる。
【００１５】
一方で吐水端部部材の本体へのねじ結合部分の外面は凹凸面として形成してあるため、吐水端部部材を透かしてねじ結合部分が外部から見えてしまって見栄えが悪くなるといった問題を解決することができる。
またねじを緩めて吐水端部部材を本体から取り外す際、凹凸面を握って回転操作することで滑りを防止でき、吐水端部部材の本体への脱着性を良好となすことができる。
【００１６】
本発明は浄水のシャワー吐水機能を有するシャワーヘッド、即ち上記本体がシャワーヘッドの本体であり、吐水端部部材が複数のシャワー吐水孔を有する散水部材であるシャワーヘッドに好適に適用できる（請求項２）。
【００１７】
【実施例】
次に本発明の実施例を図面に基づいて詳しく説明する。
図１は浄水吐水器具の一例としてのシャワーヘッドを示したもので、同図中１０はその本体であり、内部に殺菌剤（塩素）を含有した水道水である原水を先端側に導く通水路１２を備えている。
１４は吐水端部部材（散水部材）であって底付きの円筒形状をなしており、その内部に通水路１２Ａと１２Ｂとを有するとともに、底部には通水路１２Ａに連通した複数の原水用のシャワー吐水孔１４Ａと、通水路１２Ｂに連通した複数の浄水用のシャワー吐水孔１４Ｂとが形成されている。
【００１８】
ここで通水路１２Ａと１２Ｂとは、吐水端部部材１４の底部から立ち上がるように設けられた中心部の円筒部１６によって区画されている。
また一方の通水路１２Ｂ上には浄化室が形成されていて、そこに水道水の浄化作用を行う浄化カートリッジ１８が収容されている。
【００１９】
２０は逆皿状をなす弁プレートであって、通水路１２Ａに連通する開口２２と、通水路１２Ｂに連通する開口２４（図２参照）とを有している。
この弁プレート２０には、中心部に下向きの円筒形状の突出部３２が形成されており、その突出部３２の端面がリング状のシール部材３４を介して吐水端部部材１４の上記円筒部１６の上端面に水密に当接している。
【００２０】
この弁プレート２０の上部には弁体２６が回動摺動可能に配設されている。
弁体２６は、弁プレート２０に形成された上記一対の開口２２，２４の内の一方を閉鎖して他方を開放し、或いはその他方を閉鎖、一方を開放することによって吐水端部部材１４側の通水路１２Ａ又は１２Ｂの何れか一方を択一的に本体１０側の通水路１２に連通させる働きをなす。
【００２１】
この弁体２６には軸部２８が設けられており、その軸部２８が本体１０の外面に突き出す形態で設けられた操作部３０に一体回転状態に連結されている。即ちこの例では、図３に示しているように操作部３０の操作によって弁体２６が弁プレート２０上面を回動摺動し、開口２２，２４を択一的に閉鎖又は開放する。
【００２２】
本体１０には円筒形状の内嵌合部３６が設けられている。
また吐水端部部材１４には対応する円筒形状の外嵌合部３８が設けられており、それら内嵌合部３６と外嵌合部３８とが、内嵌合部３６の外周面の雄ねじ部と外嵌合部３８の内周面の雌ねじ部とにおいてＯリング４０を介装した状態でねじ嵌合されている。即ち吐水端部部材１４が、内嵌合部３６と外嵌合部３８とにおいてねじ結合され、本体１０に組み付けられている。
尚この内嵌合部３６はまた、上記弁プレート２０の円筒形状の外周壁部４０に対しても水密に嵌合している。
【００２３】
本例においては、吐水端部部材（散水部材）１４全体が透明な樹脂材にて構成されている。その外面は外嵌合部３８の部分を除いて全体的に平滑な面とされている。
またその外嵌合部３８の外面は、全面に亘って凹凸面４２とされている。この凹凸面４２は、樹脂製の吐水端部部材１４の成形用金型に形成したシボ加工面によって、その成形用金型により吐水端部部材１４を成形する際に同時に成形されたもので、微細なしわ状且つ不規則な凹凸面をなしている。
【００２４】
次に本例のシャワーヘッドの作用を説明する。
本例のシャワーヘッドにおいては、弁体２６を図２（Ａ）及び図３（Ｉ）に示す状態、即ち弁プレート２０の開口２２を閉鎖して他方の開口２４を開放した状態とし、その状態で通水路１２を通じて水道水を供給すると、その水道水は開口２４を通じて通水路１２Ｂ側に流れ込み、そして浄化カートリッジ１８を通過して浄水化された上でシャワー吐水孔１４Ｂからシャワー吐水される。
【００２５】
また一方、操作部３０の操作によって弁体２６を図２（Ｂ）及び図３（III）に示す状態、即ち開口２４を閉鎖し、開口２２を開放した状態の下で通水路１２を通じて水道水を供給すると、その水道水（原水）は開口２２を通じて通水路１２Ａ内に流れ込み、そのまま原水用のシャワー吐水孔１４Ａからシャワー吐水される。
【００２６】
さて本例のシャワーヘッドにおいては、透明な吐水端部部材１４を通して内部の浄化カートリッジ１８の状態或いは浄化カートリッジ１８に貼着した交換時期を示すシール等を吐水端部部材１４を取り外すことなく外部から確認することができる。
従って交換時期が来たときに速やかに浄化カートリッジ１４を交換することができる。
【００２７】
ところで、吐水端部部材１４を透明とすることによって、図４（Ｂ）に示しているようにねじ結合部分及びＯリング４０が吐水端部部材１４を透かして外部に現れてしまい見栄えが悪くなってしまうが、本例の場合、図４（Ａ）に示しているように吐水端部部材１４の本体１０へのねじ結合部分は、その外面が凹凸面４２として形成してあるため、その凹凸面４２の効果によって、外部に透かして見えてしまうといったことがない。
【００２８】
またねじを緩めて吐水端部部材１４を本体１０から取り外す際、凹凸面４２を握って回転操作することで滑りを防止でき、吐水端部部材１４の本体１０への脱着性が良好である。
【００２９】
以上本発明の実施例を詳述したがこれはあくまで一例示である。
例えば本発明は浄水器やアルカリイオン整水器その他の浄水吐水器具に適用することも可能であるなど、その主旨を逸脱しない範囲において種々変更を加えた形態で構成可能である。
【図面の簡単な説明】
【図１】本発明の一実施例であるシャワーヘッドを示す図である。
【図２】図１のシャワーヘッドの作用状態を示す側面断面図である。
【図３】図1のシャワーヘッドの作用状態を示す平面断面図である。
【図４】図1のシャワーヘッドの要部を比較例の要部とともに示す図である。
【図５】従来の浄水吐水器具の一例としてのシャワーヘッドの要部を示す図である。
【符号の説明】
１０  本体
１４  吐水端部部材(散水部材)
１４Ａ，１４Ｂ  シャワー吐水孔
１８  浄化カートリッジ
３６  内嵌合部
３８  外嵌合部
４２  凹凸面
【図１】
0003683748.tif 000002
【図２】
0003683748.tif 000003
【図３】
0003683748.tif 000004
【図４】
0003683748.tif 000005
【図５】
0003683748.tif 000006